(57)【要約】【課題】  ＰＴＴ（ＰＵＳＨ−ＴＯ−ＴＡＬＫ）通話モードで使用者の不注意により発生し得る聴覚障害問題から使用者の聴覚を保護するＰＴＴフォンのスピーカーボリューム制御装置及び方法を提供する。【解決手段】  ＰＴＴ（ＰＵＳＨ−ＴＯ−ＴＡＬＫ）ボタンで使用者の接触があるか否かが感知される過程と、前記接触の感知によって、ＰＴＴフォンのスピーカーボリュームが制御される過程と、を含むことを特徴とするＰＴＴフォンのスピーカーボリューム制御方法。一般通話モード及びＰＴＴ通話モードで通話できるＰＴＴフォンにおいて、ＰＴＴ通話モード時、ＰＴＴフォンの特定部位に使用者の接触が感知されると、接触感知信号が出力され、前記接触感知信号により前記ＰＴＴフォンのスピーカーボリュームが制御されることを特徴とするＰＴＴフォンのスピーカーボリューム制御方法。【選択図】  図２
2005318575.tif 000002
【特許請求の範囲】
【請求項１】
ＰＴＴ（ＰＵＳＨ−ＴＯ−ＴＡＬＫ）ボタンで使用者の接触があるか否かが感知される過程と、
前記接触の感知によって、ＰＴＴフォンのスピーカーボリュームが制御される過程と、
を含むことを特徴とするＰＴＴフォンのスピーカーボリューム制御方法。
【請求項２】
前記の過程は、前記ＰＴＴフォンがＰＴＴ通話モードのときに行われることを特徴とする請求項１に記載のＰＴＴフォンのスピーカーボリューム制御方法。
【請求項３】
前記ＰＴＴボタンは、タッチスイッチ機能を含むことを特徴とする請求項１に記載のＰＴＴフォンのスピーカーボリューム制御方法。
【請求項４】
前記接触は、前記使用者の手が前記ＰＴＴボタンに接触するときに発生する微細な電流の電気的な信号により感知されることを特徴とする請求項１に記載のＰＴＴフォンのスピーカーボリューム制御方法。
【請求項５】
前記接触は、前記使用者の手が前記ＰＴＴボタンに接触するときに、光センサから発生した光が前記使用者の手に反射されて感知されることを特徴とする請求項１に記載のＰＴＴフォンのスピーカーボリューム制御方法。
【請求項６】
前記スピーカーは、レシーバー・スピーカー一体型、またはレシーバー・スピーカー分離型であることを特徴とする請求項１に記載のＰＴＴフォンのスピーカーボリューム制御方法。
【請求項７】
前記ＰＴＴボタンで使用者の接触が感知されると、接触感知信号が出力される過程をさらに含むことを特徴とする請求項１に記載のＰＴＴフォンのスピーカーボリューム制御方法。
【請求項８】
前記接触感知信号は、前記スピーカーボリュームを制御することを特徴とする請求項７に記載のＰＴＴフォンのスピーカーボリューム制御方法。
【請求項９】
前記スピーカーボリュームは、前記ＰＴＴボタンで使用者の接触が感知されない場合、現在設定されているスピーカーボリュームより低く制御されることを特徴とする請求項１に記載のＰＴＴフォンのスピーカーボリューム制御方法。
【請求項１０】
前記スピーカーボリュームは、前記ＰＴＴボタンで使用者の接触が感知される場合、現在設定されているスピーカーボリュームが維持されるように制御されることを特徴とする請求項１に記載のＰＴＴフォンのスピーカーボリューム制御方法。
【請求項１１】
一般通話モード及びＰＴＴ通話モードで通話できるＰＴＴフォンにおいて、
ＰＴＴ通話モード時、ＰＴＴフォンの特定部位に使用者の接触が感知されると、接触感知信号が出力され、前記接触感知信号により前記ＰＴＴフォンのスピーカーボリュームが制御されることを特徴とするＰＴＴフォンのスピーカーボリューム制御方法。
【請求項１２】
前記接触は、前記使用者の顔の特定部位が前記ＰＴＴフォンの特定部位に接触するときに発生する微細な電流の電気的な信号により感知されることを特徴とする請求項１１に記載のＰＴＴフォンのスピーカーボリューム制御方法。
【請求項１３】
前記接触は、前記使用者の顔の特定部位が前記ＰＴＴフォンの特定部位に接触するときに、光センサにより感知されることを特徴とする請求項１１に記載のＰＴＴフォンのスピーカーボリューム制御方法。
【請求項１４】
前記スピーカーは、レシーバー・スピーカー一体型、またはレシーバー・スピーカー分離型であることを特徴とする請求項１１に記載のＰＴＴフォンのスピーカーボリューム制御方法。
【請求項１５】
前記接触感知信号が出力されないと、現在設定されているスピーカーボリュームを維持するように制御することを特徴とする請求項１１に記載のＰＴＴフォンのスピーカーボリューム制御方法。
【請求項１６】
前記接触感知信号が出力されると、現在設定されているスピーカーボリュームより低くスピーカーボリュームを制御することを特徴とする請求項１１に記載のＰＴＴフォンのスピーカーボリューム制御方法。
【請求項１７】
前記ＰＴＴフォンの特定部位は、使用者の耳と接触する前記ＰＴＴフォンのレシーバー、または使用者の顔と接触する前記ＰＴＴフォンの特定部に構成されることを特徴とする請求項１１に記載のＰＴＴフォンのスピーカーボリューム制御方法。
【請求項１８】
一般通話モード及びＰＴＴ通話モードで通話できるＰＴＴフォンにおいて、
使用者の接触を感知する接触感応部と、
前記接触感応部での接触有無によって接触感知信号または非接触感知信号を出力する接触感知信号出力部と、
前記接触感知信号または非接触感知信号によりスピーカーボリュームを制御するボリューム制御部と、
を含むことを特徴とするＰＴＴフォンのスピーカーボリューム制御装置。
【請求項１９】
前記接触感応部は、前記ＰＴＴフォンのＰＴＴボタンに構成されることを特徴とする請求項１８に記載のＰＴＴフォンのスピーカーボリューム制御装置。
【請求項２０】
前記接触感応部は、使用者の耳と接触する前記ＰＴＴフォンのレシーバー、または使用者の顔と接触する前記ＰＴＴフォンの特定部に構成されることを特徴とする請求項１８に記載のＰＴＴフォンのスピーカーボリューム制御装置。
【請求項２１】
前記接触感応部は、前記使用者の接触時に発生する微細な電流の電気的な信号を感知することを特徴とする請求項１８に記載のＰＴＴフォンのスピーカーボリューム制御装置。
【請求項２２】
前記接触感応部は、光センサを備えて使用者の接触を感知することを特徴とする請求項１８に記載のＰＴＴフォンのスピーカーボリューム制御装置。
【請求項２３】
前記スピーカーは、レシーバー・スピーカー一体型、またはレシーバー・スピーカー分離型であることを特徴とする請求項１８に記載のＰＴＴフォンのスピーカーボリューム制御装置。
【請求項２４】
前記ボリューム制御部は、前記ＰＴＴボタンで使用者の接触が感知されないと、前記非接触感知信号を出力して、現在設定されているスピーカーボリュームより一段階低くスピーカーボリュームを制御することを特徴とする請求項１８または１９に記載のＰＴＴフォンのスピーカーボリューム制御装置。
【請求項２５】
前記ボリューム制御部は、使用者の耳と接触する前記ＰＴＴフォンのレシーバー、または使用者の顔と接触する前記ＰＴＴフォンの特定部に使用者の接触が感知されると、前記接触感知信号を出力して、現在設定されているスピーカーボリュームより低くスピーカーボリュームを制御することを特徴とする請求項１８または２０に記載のＰＴＴフォンのスピーカーボリューム制御装置。
【発明の詳細な説明】
【技術分野】
【０００１】
本発明は、ＰＴＴ（ＰＵＳＨ−ＴＯ−ＴＡＬＫ）フォンに関し、特に、ＰＴＴフォンのスピーカーボリューム制御装置及び方法に関する。
【背景技術】
【０００２】
移動通信端末機（以下、携帯電話という）は、移動通信サービスに加入した後に、移動通信事業者により構築された通信網内で、呼設定を行った特定の相手方と１対１通信サービスを利用することができるだけである。これに対し、無電機（ｍｏｂｉｌｅ  ｒａｄｉｏ）は、ＰＴＴボタンを利用するもので、前記ＰＴＴボタンを押すと使用者の音声を送信することができ、前記ＰＴＴボタンを離すと相手方から伝送された音声を聞くことができる端末機であって、携帯電話とは異なり、サービスの利用に地域的限界がなく、１対多の通話が可能である。従って、日常では携帯電話として、レジャー活動や産業現場などでは無電機として使用できるような通信サービスに対する使用者の要求に応えて、前記携帯電話と無電機との利点を全て受け入れて開発された端末機がＰＴＴフォンである。
【０００３】
このようなＰＴＴフォンは、小容量スピーカー（Ｑｕｉｅｔ  ｓｐｅａｋｅｒ）であるレシーバー、及び大容量スピーカー（Ｌｏｕｄ  ｓｐｅａｋｅｒ）であるスピーカーの構成によって、分離型と一体型とに区分される。図４は、従来のレシーバー・スピーカー分離型ＰＴＴフォンの概略的な外観を示す例示図である。
【０００４】
ＰＴＴフォンの通信モードは、「一般通話モード」と「ＰＴＴ通話モード」とに区分される。使用者がＰＴＴフォンを携帯電話用途で使用する場合は「一般通話モード」に設定して使用し、無電機用途で使用する場合は「ＰＴＴ通話モード」に設定して使用する。従って、使用者がＰＴＴフォンを携帯電話用途で使用するときは、ＰＴＴボタンに指を接触することなく、ＰＴＴフォンの下端部を自然に把持して、ＰＴＴフォンのレシーバーを自分の耳に密着した状態で相手方と通話する。これに対し、使用者がＰＴＴフォンを無電機用途で使用するときは、ＰＴＴフォンと向かい合うようにＰＴＴフォンと所定の間隔をおき、自分の指がＰＴＴフォンのＰＴＴボタンに自然に乗せられた状態で、スピーカーを利用して相手方と通話する。このように、使用者が利用する通信モードによって、ＰＴＴフォンの把持形態が異なってくることが分かる。
【０００５】
従って、使用者が「ＰＴＴ通信モード」を「一般通話モード」と錯覚して、ＰＴＴフォンを自分の耳に密着させて相手方と通話する場合、大容量スピーカーから鳴る高いボリュームの相手方の音声が使用者を驚かせるか、さらには、聴覚障害をもたらす恐れがある。従って、従来のＰＴＴフォンにおいては、図４に示すように、「一般通話モード」で使用されるレシーバーと、「ＰＴＴ通話モード」で使用されるスピーカーとを同一位置に構成しない。即ち、スピーカーをキーパッドの側方に位置させるか、端末機の背面に構成することにより、使用者が通話モードを錯覚することによって発生し得る上記の問題から使用者の聴覚を保護する。
【発明の開示】
【発明が解決しようとする課題】
【０００６】
しかしながら、前述のスピーカーの構造的配置にもかかわらず、実質的にレシーバーとスピーカーとが近接して配置されているため、使用者が「ＰＴＴ通話モード」で通話モードを錯覚して無意識的にＰＴＴフォンを耳に密着させて通話する場合、スピーカーの高いボリュームが使用者を驚かせるか、さらには、所定時間の間使用者に聴覚障害を誘発させることができるという問題点があった。
【０００７】
本発明は、このような従来技術の問題点を解決するためになされたもので、「ＰＴＴ通話モード」で使用者の不注意により発生し得る聴覚障害問題から使用者の聴覚を保護することができるＰＴＴフォンのスピーカーボリューム制御装置及び方法を提供することを目的とする。
【課題を解決するための手段】
【０００８】
上記の目的を達成するために、一般通話モード及びＰＴＴ通話モードで通話できる本発明によるＰＴＴフォンのスピーカーボリューム制御装置は、ＰＴＴフォンに構成されて使用者の接触を感知する接触感応部と、前記接触感応部での接触有無によって接触感知信号または非接触感知信号を出力する接触感知信号出力部と、前記接触感知信号または非接触感知信号によりスピーカーボリュームを制御するボリューム制御部とを含む。
【０００９】
好ましくは、前記接触感応部は、前記ＰＴＴフォンのＰＴＴボタンに構成される。
【００１０】
好ましくは、前記接触感応部は、使用者の耳と接触する前記ＰＴＴフォンのレシーバー、または使用者の顔と接触する前記ＰＴＴフォンの特定部に構成される。
【００１１】
また、上記の目的を達成するために、一般通話モード及びＰＴＴ通話モードで通話できる本発明によるＰＴＴフォンのスピーカーボリューム制御方法は、ＰＴＴボタンが使用者の接触を感知する過程と、前記接触が感知されることによって、ＰＴＴフォンのスピーカーボリュームを制御する過程とを含む。
【００１２】
好ましくは、前記接触は、前記使用者の手が前記ＰＴＴボタンに接触するときに発生する微細な電流の電気的な信号により感知される。
【００１３】
好ましくは、前記接触は、光センサにより感知される。
【００１４】
好ましくは、前記スピーカーは、レシーバー・スピーカー一体型、またはレシーバー・スピーカー分離型である。
【００１５】
好ましくは、前記スピーカーボリュームは、前記ＰＴＴボタンで使用者の接触が感知されない場合、現在設定されているスピーカーボリュームより低く制御される。
【００１６】
好ましくは、前記スピーカーボリュームは、前記ＰＴＴボタンで使用者の接触が感知される場合、現在設定されているスピーカーボリュームが維持されるように制御される。
【００１７】
上記目的を達成するために、本発明は、例えば、以下の手段を提供する。
（項目１）
ＰＴＴ（ＰＵＳＨ−ＴＯ−ＴＡＬＫ）ボタンで使用者の接触があるか否かが感知される過程と、
前記接触の感知によって、ＰＴＴフォンのスピーカーボリュームが制御される過程と、
を含むことを特徴とするＰＴＴフォンのスピーカーボリューム制御方法。
（項目２）
前記の過程は、前記ＰＴＴフォンがＰＴＴ通話モードのときに行われることを特徴とする項目１に記載のＰＴＴフォンのスピーカーボリューム制御方法。
（項目３）
前記ＰＴＴボタンは、タッチスイッチ機能を含むことを特徴とする項目１に記載のＰＴＴフォンのスピーカーボリューム制御方法。
（項目４）
前記接触は、前記使用者の手が前記ＰＴＴボタンに接触するときに発生する微細な電流の電気的な信号により感知されることを特徴とする項目１に記載のＰＴＴフォンのスピーカーボリューム制御方法。
（項目５）
前記接触は、前記使用者の手が前記ＰＴＴボタンに接触するときに、光センサから発生した光が前記使用者の手に反射されて感知されることを特徴とする項目１に記載のＰＴＴフォンのスピーカーボリューム制御方法。
（項目６）
前記スピーカーは、レシーバー・スピーカー一体型、またはレシーバー・スピーカー分離型であることを特徴とする項目１に記載のＰＴＴフォンのスピーカーボリューム制御方法。
（項目７）
前記ＰＴＴボタンで使用者の接触が感知されると、接触感知信号が出力される過程をさらに含むことを特徴とする項目１に記載のＰＴＴフォンのスピーカーボリューム制御方法。
（項目８）
前記接触感知信号は、前記スピーカーボリュームを制御することを特徴とする項目７に記載のＰＴＴフォンのスピーカーボリューム制御方法。
（項目９）
前記スピーカーボリュームは、前記ＰＴＴボタンで使用者の接触が感知されない場合、現在設定されているスピーカーボリュームより低く制御されることを特徴とする項目１に記載のＰＴＴフォンのスピーカーボリューム制御方法。
（項目１０）
前記スピーカーボリュームは、前記ＰＴＴボタンで使用者の接触が感知される場合、現在設定されているスピーカーボリュームが維持されるように制御されることを特徴とする項目１に記載のＰＴＴフォンのスピーカーボリューム制御方法。
（項目１１）
一般通話モード及びＰＴＴ通話モードで通話できるＰＴＴフォンにおいて、
ＰＴＴ通話モード時、ＰＴＴフォンの特定部位に使用者の接触が感知されると、接触感知信号が出力され、前記接触感知信号により前記ＰＴＴフォンのスピーカーボリュームが制御されることを特徴とするＰＴＴフォンのスピーカーボリューム制御方法。
（項目１２）
前記接触は、前記使用者の顔の特定部位が前記ＰＴＴフォンの特定部位に接触するときに発生する微細な電流の電気的な信号により感知されることを特徴とする項目１１に記載のＰＴＴフォンのスピーカーボリューム制御方法。
（項目１３）
前記接触は、前記使用者の顔の特定部位が前記ＰＴＴフォンの特定部位に接触するときに、光センサにより感知されることを特徴とする項目１１に記載のＰＴＴフォンのスピーカーボリューム制御方法。
（項目１４）
前記スピーカーは、レシーバー・スピーカー一体型、またはレシーバー・スピーカー分離型であることを特徴とする項目１１に記載のＰＴＴフォンのスピーカーボリューム制御方法。
（項目１５）
前記接触感知信号が出力されないと、現在設定されているスピーカーボリュームを維持するように制御することを特徴とする項目１１に記載のＰＴＴフォンのスピーカーボリューム制御方法。
（項目１６）
前記接触感知信号が出力されると、現在設定されているスピーカーボリュームより低くスピーカーボリュームを制御することを特徴とする項目１１に記載のＰＴＴフォンのスピーカーボリューム制御方法。
（項目１７）
前記ＰＴＴフォンの特定部位は、使用者の耳と接触する前記ＰＴＴフォンのレシーバー、または使用者の顔と接触する前記ＰＴＴフォンの特定部に構成されることを特徴とする項目１１に記載のＰＴＴフォンのスピーカーボリューム制御方法。
（項目１８）
一般通話モード及びＰＴＴ通話モードで通話できるＰＴＴフォンにおいて、
使用者の接触を感知する接触感応部と、
前記接触感応部での接触有無によって接触感知信号または非接触感知信号を出力する接触感知信号出力部と、
前記接触感知信号または非接触感知信号によりスピーカーボリュームを制御するボリューム制御部と、
を含むことを特徴とするＰＴＴフォンのスピーカーボリューム制御装置。
（項目１９）
前記接触感応部は、前記ＰＴＴフォンのＰＴＴボタンに構成されることを特徴とする項目１８に記載のＰＴＴフォンのスピーカーボリューム制御装置。
（項目２０）
前記接触感応部は、使用者の耳と接触する前記ＰＴＴフォンのレシーバー、または使用者の顔と接触する前記ＰＴＴフォンの特定部に構成されることを特徴とする項目１８に記載のＰＴＴフォンのスピーカーボリューム制御装置。
（項目２１）
前記接触感応部は、前記使用者の接触時に発生する微細な電流の電気的な信号を感知することを特徴とする項目１８に記載のＰＴＴフォンのスピーカーボリューム制御装置。
（項目２２）
前記接触感応部は、光センサを備えて使用者の接触を感知することを特徴とする項目１８に記載のＰＴＴフォンのスピーカーボリューム制御装置。
（項目２３）
前記スピーカーは、レシーバー・スピーカー一体型、またはレシーバー・スピーカー分離型であることを特徴とする項目１８に記載のＰＴＴフォンのスピーカーボリューム制御装置。
（項目２４）
前記ボリューム制御部は、前記ＰＴＴボタンで使用者の接触が感知されないと、前記非接触感知信号を出力して、現在設定されているスピーカーボリュームより一段階低くスピーカーボリュームを制御することを特徴とする項目１８または１９に記載のＰＴＴフォンのスピーカーボリューム制御装置。
（項目２５）
前記ボリューム制御部は、使用者の耳と接触する前記ＰＴＴフォンのレシーバー、または使用者の顔と接触する前記ＰＴＴフォンの特定部に使用者の接触が感知されると、前記接触感知信号を出力して、現在設定されているスピーカーボリュームより低くスピーカーボリュームを制御することを特徴とする項目１８または２０に記載のＰＴＴフォンのスピーカーボリューム制御装置。
【発明の効果】
【００１８】
本発明によるＰＴＴフォンのスピーカーボリューム制御装置及び方法においては、ＰＴＴ通話モードで、使用者がＰＴＴボタンまたはレシーバー部位などに備えられた接触感応部に接触するか否かによって、ＰＴＴフォンの把持形態を感知し、その把持形態によってスピーカーボリュームを自動に調節することにより、使用者の不注意で前記ＰＴＴフォンを耳に密着させて通話時に大容量スピーカーにより誘発される使用者の聴覚障害問題を解消して、使用者に便宜性及び安全性を提供するという効果がある。
【発明を実施するための最良の形態】
【００１９】
本発明は、ＰＴＴフォンのＰＴＴボタンまたは特定部位にタッチスイッチ機能があるＰＴＴフォンで実現される。しかしながら、本発明は、他の標準によって動作する無線通信端末機にも適用されることができる。
【００２０】
本発明は、ＰＴＴ通話モード状態で相手方と通話中にある場合に適用される。且つ、本発明は、タッチスイッチ機能を備えたＰＴＴフォンのＰＴＴボタンに使用者の指接触がある場合は、「ＰＴＴ通話モード」状態と判断して正常なスピーカーボリュームに制御し、ＰＴＴボタンに使用者の指接触がない場合は、スピーカーボリュームを一段階低く制御する装置及び方法である。従って、本発明は、「ＰＴＴ通話モード」で無意識的に端末機を耳に密着させて通話する場合も、大容量スピーカーにより誘発できる聴覚障害から使用者の聴覚を保護する装置及び方法を提案する。
【００２１】
本発明によるＰＴＴフォンは、プッシュボタン式のＰＴＴボタンにタッチスイッチ機能を付加して、ＰＴＴボタンへの使用者の接触状態によって使用者の通話状態を判断する。前記ＰＴＴボタンへの使用者の接触状態は、次のように３つの状態に区分されて、スピーカーのボリュームが制御される。
【００２２】
第１の状態は、使用者がＰＴＴボタンから完全に手を離した状態で、第２の状態は、使用者がＰＴＴボタンを押さずに接触だけさせた状態で、第３の状態は、使用者がＰＴＴボタンを押した状態として、使用者の音声が相手方に送信される状態である。これらの３つの状態のうち、第１及び第２の状態は、プッシュボタン式のＰＴＴボタンを備えた従来のＰＴＴフォンにおいては区分されていなかったが、タッチスイッチ機能を有するＰＴＴボタンを備えた本発明によるＰＴＴフォンにおいては、使用者の指接触を感知して第１の状態と第２の状態とを区分し、その区分された状態によって、「ＰＴＴ通話モード」における使用者のＰＴＴフォンの把持状態（ＰＴＴフォンと向かい合う状態、または耳に密着した状態）を判断して、スピーカーのボリュームを制御する。但し、第３の状態の場合は、送信状態ではスピーカーの出力がないので、この状態に対する説明は省略する。
【００２３】
本発明によるＰＴＴフォンは、本発明による方法を実行するプログラムとハードウェアとから構成され、前記ハードウェアは、本発明のスピーカーボリューム制御装置の他にも、前記プログラムの演算及びその他の装置などの制御を行うマイクロプロセッサー（Ｍｉｃｒｏ  Ｐｒｏｃｅｓｓｏｒ  Ｕｎｉｔ：ＭＰＵ）、ＰＴＴ通話のためのＰＴＴボタン、レシーバー・大容量スピーカー分離型または一体型のスピーカー、一般通話のための送信キーなどを含むキーパッド、出力装置としてのＬＣＤ、並びに、前記プログラム及びその他の情報が格納される記憶装置などを基本的に含む。
【００２４】
以下、ＰＴＴフォンのスピーカーボリューム制御方法の一実施形態を図１及び図２を参照して説明する。
【００２５】
図１は、本発明によるＰＴＴフォンのスピーカーボリューム制御装置の構成図で、図２は、接触感応部がＰＴＴボタンに備えられた、本発明によるＰＴＴフォンのスピーカーボリューム制御方法のフローチャートである。
【００２６】
まず、「ＰＴＴ通話モード」状態で、使用者のＰＴＴフォンが相手方から呼出信号を受けるか、またはベル音が鳴ると、使用者は、ＰＴＴフォンに出て応答する（Ｓ１０、Ｓ２０）。ここで、使用者のＰＴＴフォンの把持形態によって、ＰＴＴフォンのＰＴＴボタンに備えられた接触感応部１００に使用者の指接触が感知される（Ｓ３０）。
【００２７】
前記ＰＴＴボタンの接触感応部１００に指が接触すると（Ｓ４０）、接触時に発生する微細な電流の電気的な信号により、接触感知信号出力部２００の第１Ｔｒ２１０がオンされ、第２Ｔｒ２２０がオフされて、前記接触感知信号出力部２００は、接触感知信号であるハイ信号を出力する（Ｓ８０）。前記ハイ信号を受けたボリューム制御部３００は、使用者が自分の指を前記ＰＴＴボタンに接触してＰＴＴフォンを把持した状態で、正常なＰＴＴ通話（ＰＴＴフォンと向かい合う状態）をすることで判断し（Ｓ９０）、スピーカーボリュームを現在設定されているスピーカーボリュームの大きさで正常な制御をする（Ｓ１００）。
【００２８】
しかしながら、「ＰＴＴ通話モード」状態で（Ｓ２０）、相手方の呼出信号に対し（Ｓ１０）、使用者が「一般通話モード」と錯覚して前記ＰＴＴフォンを耳に密着した状態で通話する場合は、前記接触感応部１００に使用者の指が接触していない状態である（Ｓ３０、Ｓ４０）。従って、前記接触感知信号出力部２００の第１Ｔｒ２１０がオフされ、第２Ｔｒ２２０がオンされて、前記接触感知信号出力部２００は、非接触感知信号であるロー信号を出力する（Ｓ５０）。
【００２９】
前記ロー信号を受けた前記ボリューム制御部３００は、使用者が「ＰＴＴ通話モード」を「一般通話モード」と錯覚して、ＰＴＴボタンに指を接触することなくＰＴＴフォンの下端部を自然に把持し、ＰＴＴフォンのレシーバーを自分の耳に密着した状態で通話をすることで判断し（Ｓ６０）、現在設定されているスピーカーボリュームより一段階低くスピーカーボリュームを制御する（Ｓ７０）。
【００３０】
一方、「一般通話モード」状態で（Ｓ１１０）、相手方の呼出信号に応答して通話する場合は、相手方の音声信号をレシーバーを通じて確認するので、前記スピーカーボリュームを調整する必要がない（Ｓ１２０）。しかしながら、レシーバーとスピーカーとが一体型に構成されたＰＴＴフォンの場合は、前述の過程を通じてスピーカーボリュームを制御する。
【００３１】
以下、ＰＴＴフォンのスピーカーボリューム制御方法の他の実施形態を図１及び図３を参照して説明する。
【００３２】
図３は、接触感応部が使用者の顔が接触する部位に備えられた、本発明によるＰＴＴフォンのスピーカーボリューム制御方法のフローチャートである。
【００３３】
図３に示す本発明の他の実施形態は、図２に示す本発明の一実施形態と類似する。従って、図２及び図３のフローチャート上の同一符号は同一過程を行うことを意味する。但し、図２に示す本発明の一実施形態と比較してみるとき、図３に示す本発明の他の実施形態は、第１Ｔｒ及び第２Ｔｒの動作、並びに、スピーカーボリュームの制御方式に差がある。即ち、ＰＴＴフォンのレシーバー部位などの特定部位に備えられた接触感応部１００が使用者の接触を感知すると（Ｓ３０、Ｓ４０）、接触時に発生する微細な電流の電気的な信号により、接触感知信号出力部２００の第１Ｔｒ２１０がオンされ、第２Ｔｒ２２０がオフされて、前記接触感知信号出力部２００は、接触感知信号であるハイ信号を出力する（Ｓ８０）。
【００３４】
前記ハイ信号を受けたボリューム制御部３００は、使用者がＰＴＴ通話（ＰＴＴフォンと向かい合う状態で通話）モードを一般通話（ＰＴＴフォンを耳に密着する式で通話）モードと錯覚して、ＰＴＴフォンを耳に密着した状態で通話することで判断し（Ｓ２２０）、現在設定されているスピーカーボリュームより一段階低く前記スピーカーボリュームを制御する（Ｓ２３０）。
【００３５】
即ち、ＰＴＴボタンに接触感応部１００が備えられた図２に示す本発明の一実施形態において、前記接触感応部１００に使用者の接触が感知されない場合にスピーカーボリュームを一段階低く制御するのに対し、図３に示す本発明の他の実施形態においては、前記接触感応部１００に使用者の接触が感知された場合にスピーカーボリュームを一段階低く制御する。
【００３６】
本発明による好ましい実施形態として、前述のＰＴＴフォンのスピーカーボリューム制御装置の接触感応部１００及び接触感知信号出力部２００は、使用者の接触を光の反射原理を利用した光センサを通じて実現することもできる。且つ、その他のスイッチを利用して、前記接触感応部１００及び接触感知信号出力部２００を実現することもできる。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３８】
ＰＴＴ（ＰＵＳＨ−ＴＯ−ＴＡＬＫ）通話モードで使用者の不注意により発生し得る聴覚障害問題から使用者の聴覚を保護するＰＴＴフォンのスピーカーボリューム制御装置及び方法を提供する。
【００３９】
一般通話モード及びＰＴＴ通話モードで通話できるＰＴＴフォンのスピーカーボリューム制御方法は、ＰＴＴボタンが使用者の接触を感知する過程と、前記接触が感知されることによって、ＰＴＴフォンのスピーカーボリュームを制御する過程とを含む。
【図面の簡単な説明】
【００４０】
【図１】本発明によるＰＴＴフォンのスピーカーボリューム制御装置の構成図である。
【図２】接触感応部がＰＴＴボタンに備えられた、本発明によるＰＴＴフォンのスピーカーボリューム制御方法のフローチャートである。
【図３】接触感応部が使用者の顔が接触する部位に備えられた、本発明によるＰＴＴフォンのスピーカーボリューム制御方法のフローチャートである。
【図４】従来のＰＴＴフォンの概略的な外観を示す例示図である。
【符号の説明】
【００４１】
１００  接触感応部
２００  接触感知信号出力部
３００  ボリューム制御部
【図１】
2005318575.tif 000003
【図２】
2005318575.tif 000004
【図３】
2005318575.tif 000005
【図４】
2005318575.tif 000006